(57)【要約】【課題】内溶液の勢いや流量を抑えて使用の安心感と計量の精度を高めることができる液体計量容器を提供する。【解決手段】液体計量容器１を液体注出容器１０と計量キャップ２０とで構成し、液体注出容器１０に、内溶液の収容空間３１に連なる筒状の口部１１と、側面にスリット１３ａを有する樋状に形成され、先端が口部１１の開口端を越えて突出するノズル部１３と、環状に形成され、内周縁がノズル部１３の基端に連なると共に外周縁が口部１１の内周面に連なる仕切り壁部１２と、ノズル部１３の側面の先端側部分によって形成され、内側に曲がる段差面状をなす堰部１３ｂとを設け、計量キャップ２０を、一端が閉塞された筒状をなすカップ部２２を備えると共に口部１１への装着にて口部１１の開口端とノズル部１３とを覆うように構成する。【選択図】図１
2017154749.tif 000002
【特許請求の範囲】
【請求項１】
液体注出容器と計量キャップとを備える液体計量容器であって、
前記液体注出容器は、
内溶液の収容空間に連なる筒状の口部と、
側面にスリットを有する樋状に形成され、先端が前記口部の開口端を越えて突出するノズル部と、
環状に形成され、内周縁が前記ノズル部の基端に連なると共に外周縁が前記口部の内周面に連なる仕切り壁部と、
前記ノズル部の側面の先端側部分によって形成され、内側に曲がる段差面状をなす堰部とを備え、
前記計量キャップは、一端が閉塞された筒状をなすカップ部を備えると共に前記口部への装着にて該口部の開口端と前記ノズル部とを覆うように構成されていることを特徴とする液体計量容器。
【請求項２】
前記堰部は、少なくとも前記スリットの反対側に形成されている、請求項１に記載の液体計量容器。
【請求項３】
前記堰部は、前記口部の開口端の外側に位置する、請求項２に記載の液体計量容器。
【請求項４】
前記ノズル部は、前記スリットの反対側において前記スリットの幅方向に間隔を空けて配置されると共に前記堰部から先端側に突出する２つの位置決め凸部を備える、請求項３に記載の液体計量容器。
【請求項５】
前記液体注出容器は、容器本体と注出栓とを備え、
前記容器本体は、内溶液の収容空間に連なる内筒を備え、
前記注出栓は、前記内筒の外周面に装着された外筒と、該外筒の上端に一体に連なると共に前記計量キャップが装着される上筒とを備え、
前記液体注出容器の口部は、前記容器本体の内筒と、前記注出栓の外筒及び上筒とによって構成され、
前記液体注出容器の仕切り壁部及びノズル部は、前記注出栓によって構成されている、請求項１〜４のいずれか一項に記載の液体計量容器。
【発明の詳細な説明】
【技術分野】
【０００１】
本発明は、液体注出容器と計量キャップとを備える液体計量容器に関する。
【背景技術】
【０００２】
従来から、洗濯用の液体洗剤や柔軟剤等の比較的粘度の高い内容液を収容する液体注出容器として、側面にスリットを有する樋状に形成され、先端が口部の開口端を越えて突出するノズル部と、ノズル部の基端と口部の内周面との間を仕切る仕切り壁部とを備えた構成とすることで、内容液の注出後にノズル部の外面に沿って垂れ落ちる内容液を口部の外側に垂れ落ちさせることなく内部に戻せるようにしたものが知られている。このような液体注出容器は、例えば特許文献１に記載されるように、その口部にノズル部を覆う計量キャップが装着されて液体計量容器に構成されるのが一般的である。
【先行技術文献】
【特許文献】
【０００３】
【特許文献１】特開２００７−９１３０４号公報
【発明の概要】
【発明が解決しようとする課題】
【０００４】
しかしながら、前記のような従来の液体計量容器では、計量キャップを外して液体注出容器を傾けて内溶液を注出する際に、勢い余ってノズル部から内溶液が急激に出過ぎてあわてたり、計量分を超えてしまったりすることがある。
【０００５】
本発明は、このような不都合を解消するために開発されたもので、内溶液の勢いや流量を抑えて使用の安心感と計量の精度を高めることができる液体計量容器を提供することを目的とする。
【課題を解決するための手段】
【０００６】
本発明の液体計量容器は、液体注出容器と計量キャップとを備え、
前記液体注出容器は、
内溶液の収容空間に連なる筒状の口部と、
側面にスリットを有する樋状に形成され、先端が前記口部の開口端を越えて突出するノズル部と、
環状に形成され、内周縁が前記ノズル部の基端に連なると共に外周縁が前記口部の内周面に連なる仕切り壁部と、
前記ノズル部の側面の先端側部分によって形成され、内側に曲がる段差面状をなす堰部とを備え、
前記計量キャップは、一端が閉塞された筒状をなすカップ部を備えると共に前記口部への装着にて該口部の開口端と前記ノズル部とを覆うように構成されていることを特徴とする。
【０００７】
また、本発明の液体計量容器では、前記堰部は、少なくとも前記スリットの反対側に形成されているのが好ましい。
【０００８】
また、本発明の液体計量容器では、前記堰部は、前記口部の開口端の外側に位置するのが好ましい。
【０００９】
また、本発明の液体計量容器では、前記ノズル部は、前記スリットの反対側において前記スリットの幅方向に間隔を空けて配置されると共に前記堰部から先端側に突出する２つの位置決め凸部を備えるのが好ましい。
【００１０】
さらに、本発明の液体計量容器では、
前記液体注出容器は、容器本体と注出栓とを備え、
前記容器本体は、内溶液の収容空間に連なる内筒を備え、
前記注出栓は、前記内筒の外周面に装着された外筒と、該外筒の上端に一体に連なると共に前記計量キャップが装着される上筒とを備え、
前記液体注出容器の口部は、前記容器本体の内筒と、前記注出栓の外筒及び上筒とによって構成され、
前記液体注出容器の仕切り壁部及びノズル部は、前記注出栓によって構成されているのが好ましい。
【発明の効果】
【００１１】
本発明によれば、ノズル部の側面の先端側部分に、内側に曲がる段差面状をなす堰部を設けたので、計量キャップを外し、液体注出容器を傾けてノズル部から計量キャップのカップ部に内溶液を注出する際に、内溶液を堰部で堰止めて、内溶液の勢いや流量を抑えることができる。
【００１２】
したがって、本発明によれば、内溶液の勢いや流量を抑えて使用の安心感と計量の精度を高めることができる液体計量容器を提供することができる。
【図面の簡単な説明】
【００１３】
【図１】本発明の一実施の形態である液体計量容器を示す斜視図であり、計量キャップを外して液体注出容器を傾けて内溶液を注出する様子を示す。
【図２】図１に示す液体計量容器の一部断面側面図である。
【発明を実施するための形態】
【００１４】
以下、図面を参照して本発明をより詳細に例示説明する。
【００１５】
図１〜図２に示すように、本発明の一実施の形態である液体計量容器１は、液体注出容器１０と計量キャップ２０とを備えている。また、本実施の形態では、液体注出容器１０は、容器本体３０と注出栓４０とを備えている。
【００１６】
この容器本体３０は、内溶液の収容空間３１を備えると共に、この収容空間３１に連なる内筒３２を備えている。詳細は図示しないが、容器本体３０の収容空間３１は、内筒３２に連なる胴部の内側に設けられている。なお、容器本体３０は、例えば樹脂製とすることができ、ブロー成形などによって形成することができる。
【００１７】
注出栓４０は、内筒３２の外周面にねじ係合によって装着された外筒４１を備えている。外筒４１の内周面には、内筒３２の外周面に設けられた雄ねじ３２ａと係合する雌ねじ４１ａが設けられている。また、外筒４１の下端の内周面には、内筒３２の下端の外周面に設けられた回転規制リブ３２ｂと係合する回転規制リブ４１ｂが設けられている。なお、外筒４１は、このようなねじ係合に代えて、例えばアンダーカット形状を介した嵌合によって内筒３２に装着するように構成してもよい。なお、本実施形態では、内筒３２及び外筒４１は円筒状を成しているが、楕円筒状、角筒状など、筒状であれば他の形状に形成することもできる。
【００１８】
外筒４１の上端には、計量キャップ２０がねじ係合によって装着される上筒４２の下端が一体に連なっている。すなわち、外筒４１と上筒４２とは同一の材料によって一体に形成されている。上筒４２の外周面には、計量キャップ２０の筒状の装着筒部２１の内周面に設けられた雌ねじ２１ａと係合する雄ねじ４２ａが設けられている。なお、装着筒部２１は、このようなねじ係合に代えて、例えばアンダーカット形状を介した嵌合によって上筒４２に装着するように構成してもよい。なお、本実施形態では、装着筒部２１及び上筒４２は円筒状を成しているが、楕円筒状、角筒状など、筒状であれば他の形状に形成することもできる。
【００１９】
このように、本実施形態では、液体注出容器１０の内溶液の収容空間３１に連なる筒状の口部１１は、容器本体３０の内筒３２と、注出栓４０の外筒４１及び上筒４２とによって構成されている。また、液体注出容器１０の後述する仕切り壁部１２及びノズル部１３は、注出栓４０によって構成されている。なお、注出栓４０は、例えば樹脂材料により、例えば射出成形によって形成することができる。
【００２０】
なお、このような構成に代えて、例えば、注出栓４０に外筒４１を設けることなく、上筒４２の下端を容器本体３０の内筒３２の上端に係合するように構成してもよい。この場合、液体注出容器１０の口部１１は、容器本体３０の内筒３２と、注出栓４０の上筒４２とによって構成されることになる。また、注出栓４０に外筒４１も上筒４２も設けることなく、仕切り壁部１２及びノズル部１３のみを設け、仕切り壁部１２の外周縁を容器本体３０の内筒３２の上端に係合又は接合するように構成してもよい。或いは、容器本体３０と別体の注出栓４０を設けることなく、仕切り壁部１２及びノズル部１３を容器本体３０の内筒３２と一体に形成してもよい。また、計量キャップ２０の装着筒部２１は、注出栓４０の上筒４２に装着するのではなく、容器本体３０の内筒３２に直接装着するように構成してもよい。
【００２１】
本実施形態では、環状に形成された仕切り壁部１２の外周縁が、外筒４１の上端（上筒４２の下端）に一体に連なっている。すなわち、外筒４１と仕切り壁部１２とは同一の材料によって一体に形成されている。仕切り壁部１２は、内筒３２の内周面に密接する筒状のシール壁１２ａと、該シール壁１２ａの下端から内周側に向かって収容空間３１側へ傾斜する傾斜壁１２ｂとを備えている。なお、傾斜壁１２ｂは、より具体的には、後述するノズル部１３のスリット１３ａに対応する位置に向かって収容空間３１側へ傾斜し、それにより内溶液の収容空間３１へのスムーズな回収を可能にしている。
【００２２】
仕切り壁部１２の内周縁には、側面にスリット１３ａを有する樋状に形成され、先端１３ｃが口部１１の開口端（すなわち、上筒４２の開口端）を越えて突出するノズル部１３の基端が一体に連なっている。すなわち、仕切り壁部１２とノズル部１３とは同一の材料によって一体に形成されている。
【００２３】
ノズル部１３の側面の先端側部分には、内側に曲がる段差面状をなす堰部１３ｂが形成されている。ここで、「内側に曲がる」とは、内面が基端側を向くように曲がることを意味する。堰部１３ｂは、口部１１の開口端の外側に位置している。また、堰部１３ｂは、本実施形態では、スリット１３ａの両側の側面から、スリット１３ａの反対側の側面に至る円弧形状の段差面状をなしている。なお、堰部１３ｂのノズル部１３の中心軸線に対する傾斜角度や位置、表面積は、内溶液の粘度やノズル部１３の流路断面積などに応じて適宜変更することができる。また、堰部１３ｂが内側に曲がる角度は、本実施形態のように鈍角に限らず、直角又は鋭角であってもよい。
【００２４】
また、ノズル部１３の堰部１３ｂより基端側の部分は、円筒状の側面にスリット１３ａを有する形状となっている。ノズル部１３の堰部１３ｂより先端側の部分は、スリット１３ａを開口部とする断面Ｕ字状をなす形状となっている。また、ノズル部１３の先端１３ｃは、口部１１の開口端に平行な形状となっている。スリット１３ａは、ノズル部１３の基端から先端１３ｃまで一定の幅を有する直線形状をなしている。
【００２５】
なお、ノズル部１３は、側面にスリット１３ａを有する樋状に形成されていれば、例えば角筒状の側面にスリット１３ａを有する形状とするなど、種々の形状とすることができる。また、スリット１３ａは、ノズル部１３の基端から先端１３ｃまで延びたものであれば他の形状とすることもできる。また、ノズル部１３の先端１３ｃは、口部１１の開口端に平行な形状に限らず、口部１１の開口端に対して傾斜する形状や、側方から見て丸みを帯びた形状とするなど、種々の形状とすることができる。
【００２６】
ノズル部１３は、スリット１３ａの反対側においてスリット１３ａの幅方向に間隔を空けて配置されると共に堰部１３ｂから先端側に突出する２つの位置決め凸部１３ｄを備えている。本実施形態では、２つの位置決め凸部１３ｄは、それぞれ、ノズル部１３の堰部１３ｂより先端側の部分と堰部１３ｂとに連結するリブとして構成されている。このような２つの位置決め凸部１３ｄを設けることで、計量キャップ２０への内溶液の注出時に、計量キャップ２０のカップ部２２の外周面に２つの位置決め凸部１３ｄを当接させることで、カップ部２２に対するノズル部１３の位置を安定させ、使用性を向上することができる。
【００２７】
また、注出栓４０を射出成形によって形成する場合、従来のように段差面状をなす堰部１３ｂを設けないストレート状のノズル部としたときには、このような位置決め用のリブは、成形時の制約により仕切り壁部から突設する必要があり、必要な樹脂量が多くなってしまうが、本実施形態ではリブを段差面状をなす堰部１３ｂから突設しているので、必要な樹脂量を低減することができる。
【００２８】
計量キャップ２０は、内容液を計量可能な計量カップとして用いることができるものであり、計量キャップ２０を口部１１に装着することにより、口部１１の開口端とノズル部１３とを覆うことができる。なお、計量キャップ２０は、例えば樹脂材料により、例えば射出成形によって形成することができる。
【００２９】
計量キャップ２０は一端が閉塞された筒状に形成されたカップ部２２を有している。このカップ部２２は、図１に示すように、閉塞壁２２ａを下側とした姿勢とすることにより、内容液を計量する計量カップとして使用することができる。なお、カップ部２２の側壁２２ｂの内周面には、カップ部２２に注がれた内容液を計量する際の目盛が適宜設けられている。
【００３０】
図２に示すように、カップ部２２の側壁２２ｂの外周面には、その軸方向の略中央部分から径方向外側に向けて突出するフランジ部２３が一体に連なっている。このフランジ部２３の外周縁には、前述した筒状の装着筒部２１の上端が一体に連なっている。なお、カップ部２２は、本実施形態では円筒状を成しているが、楕円筒状、角筒状など、筒状であれば他の形状に形成することもできる。
【００３１】
このように、本発明の液体計量容器１は、ノズル部１３の側面の先端側部分に、内側に曲がる段差面状をなす堰部１３ｂを設けた構成となっているので、計量キャップ２０を外し、液体注出容器１０を傾けてノズル部１３から計量キャップ２０のカップ部２２に内溶液を注出する際に、内溶液を堰部１３ｂで堰止めて、内溶液の勢いや流量を抑えることができる。
【００３２】
また、本発明の液体計量容器１は、堰部１３ｂが少なくともスリット１３ａの反対側に形成された構成となっているので、液体注出容器１０を傾けていったときに最初にノズル部１３に流入する内溶液を確実に堰部１３ｂで堰止めてから注出することができるため、内溶液の勢いや流量を効果的に抑えることができる。
【００３３】
また、本発明の液体計量容器１は、堰部１３ｂが口部１１の開口端の外側に位置する構成となっているので、液体注出容器１０を傾けていったときに堰部１３ｂにおける内溶液の液面の高さを目視できるため、液体注出容器１０の傾け度合いを把握しながら注出することが可能になる。
【００３４】
また、本発明の液体計量容器１は、ノズル部１３に、スリット１３ａの反対側においてスリット１３ａの幅方向に間隔を空けて配置されると共に堰部１３ｂから先端側に突出する２つの位置決め凸部１３ｄを設けた構成となっているので、計量キャップ２０への内溶液の注出時に、計量キャップ２０のカップ部２２の外周面に２つの位置決め凸部１３ｄを当接させることで、カップ部２２に対するノズル部１３の位置を安定させることができる。
【００３５】
このように、本発明の液体計量容器１によれば、内溶液の勢いや流量を抑えて使用の安心感と計量の精度を高めることができる。
【００３６】
また、本発明の液体計量容器１は、液体注出容器１０の口部１１を、容器本体３０の内筒３２と、注出栓４０の外筒４１及び上筒４２とによって構成し、液体注出容器１０の仕切り壁部１２及びノズル部１３を、注出栓４０によって構成しているので、簡単な構成によって液体注出容器１０を実現することができる。
【００３７】
本発明は前記実施の形態に限定されるものではなく、その要旨を逸脱しない範囲で種々変更可能であることはいうまでもない。
【符号の説明】
【００３８】
１    液体計量容器
１０    液体注出容器
１１    口部
１２    仕切り壁部
１２ａ  シール壁
１２ｂ  傾斜壁
１３    ノズル部
１３ａ  スリット
１３ｂ  堰部
１３ｃ  ノズル部の先端
１３ｄ  位置決め凸部
２０    計量キャップ
２１    装着筒部
２１ａ  雌ねじ
２２    カップ部
２２ａ  閉塞壁
２２ｂ  側壁
２３    フランジ部
３０    容器本体
３１    収容空間
３２    内筒
３２ａ  雄ねじ
３２ｂ  回転規制リブ
４０    注出栓
４１    外筒
４１ａ  雌ねじ
４１ｂ  回転規制リブ
４２    上筒
４２ａ  雄ねじ
【図１】
2017154749.tif 000003
【図２】
2017154749.tif 000004